(57)【要約】【課題】  床板のレベル調整が簡単にでき、かつ重量および軽量床衝撃音の影響を少なくすることができる床構造およびその構築方法を提供することである。【解決手段】  床構造１は、コンクリートスラブ２の上面に適宜厚さの増打層３が形成され、該増打層３の上に団子状の不陸調整材４が多数設置され、該不陸調整材４の上に多数の床下地材５が密接に敷き詰められてなる。【選択図】図１
2005320766.tif 000002
【特許請求の範囲】
【請求項１】
コンクリートスラブの上面に適宜厚さの増打層が形成され、該増打層の上に団子状の不陸調整材が多数設置され、該不陸調整材の上に多数の床下地材が密接に敷き詰められてなることを特徴とする床構造。
【請求項２】
不陸調整材の下部が増打層に埋没したことを特徴とする請求項１に記載の床構造。
【請求項３】
増打層とコンクリートスラブによりスラブ厚を形成することを特徴とする請求項１または２に記載の床構造。
【請求項４】
コンクリートスラブ上面の適宜範囲に増打層を形成し、該増打層が乾燥する前にその上に団子状の不陸調整材を多数設置し、該不陸調整材の上に床下地材を設置した後、この工程を順次繰り返して床下地材を密接に敷き詰めて下床を形成し、該下床上に仕上材を敷き詰めることを特徴とする床構造の構築方法。
【発明の詳細な説明】
【技術分野】
【０００１】
本発明は床構造およびその構築方法に関するものである。
【背景技術】
【０００２】
従来の集合住宅の床構造として、重量および軽量床衝撃音の影響を少なくするために、例えば特開２００２−７０２９０号公報、特開２００１−３４８９８６号公報および特開平７−１３９１２９号公報の発明がされている。これらは、いずれも支持脚を用いて床板を支持することにより、重量および軽量床衝撃音の影響を少なくしようとするものである。
【特許文献１】特開２００２−７０２９０号公報
【特許文献２】特開２００１−３４８９８６号公報
【特許文献３】特開平７−１３９１２９号公報
【発明の開示】
【発明が解決しようとする課題】
【０００３】
しかし、上記の床構造は、いずれも床板を支持する支持脚でレベル調整をするため、レベル調整が簡単にできず床の構築に手間がかかるという問題があった。
【０００４】
本発明はこれらの問題に鑑みてなされたものであり、その目的は、床板のレベル調整が簡単にでき、かつ重量および軽量床衝撃音の影響を少なくすることができる床構造およびその構築方法を提供することである。
【課題を解決するための手段】
【０００５】
以上の課題を解決するための床構造は、コンクリートスラブの上面に適宜厚さの増打層が形成され、該増打層の上に団子状の不陸調整材が多数設置され、該不陸調整材の上に多数の床下地材が密接に敷き詰められてなることを特徴とする。また不陸調整材の下部が増打層に埋没したことを含む。また増打層とコンクリートスラブとによりスラブ厚を形成することを含むものである。
また床構造の構築方法は、コンクリートスラブの上面の適宜範囲に増打層を形成し、該増打層が乾燥する前にその上に団子状の不陸調整材を多数設置し、該不陸調整材の上に床下地材を設置した後、この工程を順次繰り返して床下地材を密接に敷き詰めて下床を形成し、該下床上に仕上材を敷き詰めることを特徴とする。
【発明の効果】
【０００６】
不陸調整材に連続した増打層を介して床下地材を設置したことにより、スラブ厚が大きくなったので、重量および軽量床衝撃音を効果的に吸収することができるとともに、いわゆる太鼓現象という、共振現象を防ぐことができる。また不陸調整材の下部が増打層に埋没したことにより、コンクリートスラブとの接着が容易になるとともに、不陸調整も簡単にできる。また増打層とコンクリートスラブとでスラブ厚を形成することにより、不陸調整材と一体になった増打層がスラブの増打ち効果となって、重量および軽量床衝撃音の影響を少なくすることができる。また流動性を有する増打層と不陸調整材とを介して床下地材を設置したことにより、レベル調整が簡単かつ迅速で、精度良く行える。
【発明を実施するための最良の形態】
【０００７】
以下、本発明の床構造およびその構築方法の実施の形態を図面に基づいて説明する。また各実施の形態において同じ構成は同じ符号を付して説明し、異なった構成にのみ異なった符号を付して説明する。
【０００８】
図１および図２は床構造１を示す断面図および平面図である。この床構造１は既存建物のコンクリートスラブ２の上面にモルタルなどで適宜厚さの増打層３が形成され、この増打層３の上に団子状の不陸調整材４が設置され、この不陸調整材４の上に床下地材５が密接して設置されて下床６が形成され、該下床６に仕上材７が敷き詰められて構成されている。
【０００９】
不陸調整材４は増打層３と同じモルタルであり、団子状の下部が増打層３に埋没されて一体となり、この埋没によりレベル調整および不陸調整が行われている。また増打層３と不陸調整材４とが一体になって、コンクリートスラブ２とでスラブ厚を形成するので、増打層３がスラブの増打ち効果になる。
【００１０】
床下地材５は発泡樹脂複合体であり、ポリスチレン系樹脂やポリオレフィン系樹脂、ウレタンなどの発泡樹脂からなる下部材８と、この下部材８の上面に設置された硬質熱可塑性発泡樹脂の桟木９とから構成され、この桟木９に仕上材７が釘１０で固定されている。
【００１１】
なお、上記の床構造１は既存建物のコンクリートスラブ２であったが、これは既存建物に限らず、新築建物のコンクリートスラブであってもよい。
【００１２】
次に、床構造の構築方法について説明する。はじめに、図３に示すように、コンクリートスラブ２の上面にプライマーなどの接着剤を塗布した後、この接着剤の上に適宜厚さのモルタルを塗って増打層３を形成する。この増打層３は、例えば一列目の床下地材５を設置する箇所にのみ形成する。
【００１３】
次に、図４に示すように、この増打層３が乾燥する前に、この上にモルタルで団子状の不陸調整材４を多数設置し、この不陸調整材４の上に床下地材５を設置する。そして、部屋内周に設置した際根太１１の上面を基準線として、床下地材５を下側に押し込むと、不陸調整材４の上部が押し潰されるとともに、その下部が増打層３に埋没して一体となり、不陸とレベルとの調整ができる。
【００１４】
次に、１列目の床下地材５を設置した後、図５に示すように、２列目の床下地材を設置する箇所にモルタルを塗って２列目の増打層３を形成する。そして、上記と同じ方法で床下地材５を設置するとともに、この工程を順次繰り返すことによって、コンクリートスラブ２の全面に床下地材５を密接して下床６を形成する。そして、この下床６上に仕上材７を敷き詰めて床構造１を構築する。
【００１５】
なお、床下地材５は一列ずつ設置したが、一列ずつに限らず、二列または三列などの複数列ずつ設置することもでき、増打層３も複数列の範囲に形成することができる。さらに、列単位ではなく、１個ずつ床下地材５を設置することもでき、１個ずつ設置するための箇所に増打層３を形成することもできる。
【００１６】
このようにコンクリートスラブ２の増打層３に不陸調整材４を介して床下地材５を設置する工程を繰り返すことにより、床下地材５を簡単に敷き詰めることができ、しかも不陸およびレベルの調整も簡単にできるので、床構造１を簡単に構築することができる。
【図面の簡単な説明】
【００１７】
【図１】（１）は床構造の断面図、（２）は不陸調整材の拡大断面図である。
【図２】床下地材を密接に敷き詰めた下床の平面図である。
【図３】１列目の増打層に不陸調整材を設置した平面図である。
【図４】１列目の増打層の不陸調整材に床下地材を設置した平面図である。
【図５】１列目の床下地材を設置した後、２列目の増打層に不陸調整材を設置した平面図である。
【符号の説明】
【００１８】
１  床構造
２  コンクリートスラブ
３  増打層
４  不陸調整材
５  床下地材
６  下床
７  仕上材
８  下部材
９  桟木
１０  釘
１１  際根太
【図１】
2005320766.tif 000003
【図２】
2005320766.tif 000004
【図３】
2005320766.tif 000005
【図４】
2005320766.tif 000006
【図５】
2005320766.tif 000007